(57)【要約】【課題】バッテリが劣化したと判断された場合に、バッテリの購入を容易にし、更に、購入したバッテリの交換を促す機能を備える携帯端末の提供を目的とする。【解決手段】本発明に係る携帯端末は、ディスプレイを有するバッテリにより稼動する携帯端末であって、バッテリの充電情報に基づいてバッテリの状態、すなわち、バッテリの劣化を検出すると、バッテリの購入先に関する情報をディスプレイに表示し、購入操作を行うことでバッテリの購入が可能である。【選択図】図１
2010056954.tif 000002
【特許請求の範囲】
【請求項１】
ディスプレイを有し、バッテリにより稼動する携帯端末であって、
前記バッテリを充電する充電手段と、
バッテリの充電情報に基づいてバッテリの状態を判定する状態判定手段と、
バッテリの購入先に関する情報を前記ディスプレイに表示する表示手段と、
前記表示手段で表示された情報に対応した購入操作を検知する購入検知手段と、
前記状態判定手段で判定したバッテリの状態が所定の状態である場合には、前記表示手段に前記情報を表示させる制御手段と
を備えることを特徴とする携帯端末。
【請求項２】
前記制御手段は、前記状態判定手段で判定したバッテリの状態が所定の状態である場合には、前記購入検知手段で前記購入操作を検知するまで前記表示手段に前記情報を表示させる
ことを特徴とする請求項１記載の携帯端末。
【請求項３】
前記制御手段は、前記購入検知手段で前記購入操作を検知したときから所定期間経過するまでは、前記状態判定手段で判定したバッテリの状態が所定の状態である場合であっても前記表示手段に前記情報は表示させない
ことを特徴とする請求項２記載の携帯端末。
【請求項４】
前記携帯端末は、更に、バッテリが交換されていない旨を示す通知メッセージを前記ディスプレイに表示する通知手段を備え、
前記制御手段は、更に、前記所定期間経過した後に最初に前記状態判定手段で判定したバッテリの状態が所定の状態である場合には、前記通知手段に通知メッセージを表示させる
ことを特徴とする請求項３記載の携帯端末。
【請求項５】
前記表示手段が表示する購入先に関する情報は、電話番号であり、
前記購入検知手段は、当該電話番号に発呼する操作を購入操作として検知する
ことを特徴とする請求項１に記載の携帯端末。
【請求項６】
前記表示手段が表示する購入先に関する情報は、ＵＲＬであり、
前記購入検知手段は、当該ＵＲＬに接続する操作を購入操作として検知する
ことを特徴とする請求項１に記載の携帯端末。
【請求項７】
前記携帯端末は、更に、前記携帯端末の有する機能の、劣化していない満充電されたバッテリによる使用可能時間を記憶する時間記憶手段を備え、
前記表示手段は、更に、前記時間記憶手段に記憶されている使用可能時間に基づいて、前記携帯端末の有する機能の、前記状態判定手段で判定したバッテリの状態に応じた使用可能時間を表示する
ことを特徴とする請求項１に記載の携帯端末。
【請求項８】
前記制御手段は、更に、前記状態判定手段で判定したバッテリの状態が所定の状態である場合には、前記携帯端末の有する機能の一部の機能を動作させない
ことを特徴とする請求項１に記載の携帯端末。
【請求項９】
ディスプレイを有し、バッテリにより稼動する携帯端末で用いられる購入先情報表示方法あって、
前記バッテリを充電する充電ステップと、
バッテリの充電情報に基づいてバッテリの状態を判定する状態判定ステップと、
バッテリの購入先に関する情報を前記ディスプレイに表示する表示ステップと、
前記表示手段で表示された情報に対応した購入操作を検知する購入検知ステップと、
前記状態判定ステップで判定したバッテリの状態が所定の状態である場合には、前記表示ステップで前記情報を表示させる制御ステップと
を備えることを特徴とする購入先表示方法。
【請求項１０】
ディスプレイを有し、バッテリにより稼動し、前記バッテリを充電する充電手段を備える携帯端末に購入先情報表示処理を行わせるためのコンピュータプログラムであって、
バッテリの充電情報に基づいてバッテリの状態を判定する状態判定ステップと、
バッテリの購入先に関する情報を前記ディスプレイに表示する表示ステップと、
前記表示手段で表示された情報に対応した購入操作を検知する購入検知ステップと、
前記状態判定ステップで判定したバッテリの状態が所定の状態である場合には、前記表示ステップで前記情報を表示させる制御ステップと
を備えることを特徴とするコンピュータプログラム。
【発明の詳細な説明】
【技術分野】
【０００１】
本発明は、携帯端末等に搭載されたバッテリの交換に関し、特に劣化したバッテリの交換を促進する技術に関する。
【背景技術】
【０００２】
携帯電話機等の携帯端末は、搭載するバッテリの電源により動作するものであり、バッテリの電力残量が少なくなると充電を繰り返すことで長時間の連続使用が可能となっている。
バッテリは充電・放電を繰り返すことで劣化し、充電一回当たりの蓄電容量が低下していくものであることから、バッテリが劣化すると、満充電したとしても携帯端末の動作時間が短くなる。
【０００３】
しかし、ユーザにとっては、一充電当たりの携帯端末の動作時間が短くなったとしても、それがバッテリの劣化によるものなのか、電力を消費する機能を使い過ぎた為なのかの判断がつき難い。
そこで、バッテリの劣化を検出し、ユーザに通知する技術がある。
例えば、バッテリの充電を行った際に、予め定めた電池容量に充電容量が満たない場合にバッテリが劣化していると判断したり（特許文献１参照）、充電時の電圧変化を検出してバッテリの充電電圧特性に基づいて劣化の度合いを判断したりして（特許文献２参照）、劣化していると判断した場合には携帯端末のＬＥＤ（Light Emitting Diode）を点灯させる等してユーザに通知するものである。
【０００４】
これらの技術によれば、バッテリが劣化していることを知ることが可能となるので、新しいバッテリと交換すれば携帯端末の動作時間を改善することができる。
【特許文献１】特開平８−３２２１５７号公報
【特許文献２】特開平１１−３２９５１２号公報
【発明の開示】
【発明が解決しようとする課題】
【０００５】
しかし、これらの技術では、バッテリが劣化したことを検知してユーザに通知することは行うものの、そのあとに交換用のバッテリを購入して交換するかどうかは関知しない。
ユーザが、故意にバッテリを交換しない場合はともかく、バッテリを交換するために新しいバッテリを購入しようとする場合は、自分の携帯端末用のバッテリを何処で購入できるのか、どのように購入するのか等の情報を集めることから始めなければならない。
【０００６】
このような情報を集めることは手間であるため、携帯端末の動作時間が短くなって不便とはいえ使用できている間は、バッテリの購入は先延ばしになってしまうことが多い。
また、劣化したバッテリを使い続けた場合、バッテリ自体に不具合が発生してしまう場合も有り得る。
そこで、本発明は、バッテリが劣化したと判断された場合に、バッテリの購入を容易にし、更に、購入したバッテリの交換を促す機能を備える携帯端末の提供を目的とする。
【課題を解決するための手段】
【０００７】
上記課題を解決する為に、本発明の携帯端末は、ディスプレイを有し、バッテリにより稼動する携帯端末であって、前記バッテリを充電する充電手段と、バッテリの充電情報に基づいてバッテリの状態を判定する状態判定手段と、バッテリの購入先に関する情報を前記ディスプレイに表示する表示手段と、前記表示手段で表示された情報に対応した購入操作を検知する購入検知手段と、前記状態判定手段で判定したバッテリの状態が所定の状態である場合には、前記表示手段に前記情報を表示させる制御手段とを備えることを特徴とする。
【発明の効果】
【０００８】
本発明に係る携帯端末は、上述の構成を備えることにより、バッテリの充電情報に基づいて判定したバッテリの状態が所定の状態になると購入先に関する情報が表示されるので、購入先を調べたりすることなく、直に交換用のバッテリを購入することが出来るようになる。
尚、バッテリの充電情報とは、例えば、充電時間、所定時間充電した後のバッテリの電圧等をいう。
【発明を実施するための最良の形態】
【０００９】
＜実施形態＞
＜概要＞
携帯端末のバッテリの状態が所定の状態であることを知った時、具体的には、劣化したことを知った時には、即、交換することが望ましいが、ほとんどのユーザは、予備のバッテリを持っていないのが通常である。
【００１０】
そこで、バッテリが劣化したことを知った時に、即、購入手続きができれば、バッテリを買い忘れることも無く、できるだけ早くバッテリの交換をすることが可能となる。
本実施形態の携帯端末は、バッテリの劣化の度合いをユーザに知らせ、交換した方がよいところまで劣化した場合には、バッテリの購入先の情報を表示するものである。ユーザは、表示された購入先の情報、例えば、購入サイトのＵＲＬにインターネットを介して接続して購入サイトを表示し、購入手続きを行うことができる。すなわち、ユーザは、バッテリの劣化を知った時に、自ら購入先の情報を調べること無く、即、バッテリを購入できるのである。
【００１１】
更に、本発明の携帯端末は、バッテリを購入したが、交換するのを忘れていないかをチェックする機能をも有する。
本実施形態の携帯端末の一例としての携帯電話機を説明する前に、図２〜図４を用いて、本携帯電話機でのバッテリの購入について簡単に説明する。
本携帯電話機は、充電中にバッテリの劣化の度合いを検出し、満充電となり充電が終了したら、メッセージを表示してユーザに購入先情報を提示する。
【００１２】
図２〜図４は、バッテリの充電が完了した際のバッテリ劣化度に応じた表示画面を示している。
図２の画面４０００は、バッテリの劣化度が低い場合の表示画面例であり、画面４１００は、劣化が進んできている場合の表示画面例である。本実施形態では、劣化レベルの数字が大きいほど劣化が進んでいるものとする。
【００１３】
画面４０００には、バッテリの充電が完了した旨のメッセージ４００１と、バッテリの劣化レベル「１」を示すメッセージ４００２と、各機能の使用可能時間の情報４００３が表示されている。この使用可能時間は、充電の都度、劣化に応じて計算されて表示される。従って、充電を重ねる毎に短くなっていく。ユーザは、この使用可能時間を知ることで、より具体的にバッテリの劣化の度合いを実感することができるようになる。
【００１４】
一方、画面４１００では、バッテリの充電が完了した旨のメッセージと、劣化レベル「２」を示すメッセージ４１０１と、購入先を示す情報を含むバッテリの交換を勧めるメッセージ４１０２が表示されている。本図では、購入先を示す情報として、カスタマーセンターを呼び出すための電話番号「0612345678」と、購入サイトを表示するためのＵＲＬ「http//xxx.co.jp/support.html」が表示されている。ここで、例えば、カーソル４１０３で電話番号を選択して発呼ボタンを押下すれば、カスタマーセンターにつながりバッテリの購入依頼等をすることができる。ユーザは、購入先を調べたり、電話番号等を手入力したりする手間が省けるだけでなく、ユーザが購入操作を行うことで、意図しない購入が行われることを防止できるという利点がある。
【００１５】
図３の画面４２００は、バッテリの劣化がより進んだ場合の表示画面例であり、画面４３００は、画面４２００が表示されたときにバッテリを購入しないで、別の動作、例えば通話を行おうとしたときに表示される表示画面例である。
画面４２００では、劣化レベル「３」を示すメッセージ４２０１と、購入先を示す情報を含むバッテリの交換を依頼するメッセージ４２０２が表示されている。
【００１６】
この画面４２００でバッテリの購入を行わない場合は、電力の消費量を抑えるために特定の機能を制限して動作させないこととし、その旨のメッセージ４３０１を表示する。ここでは、Ｗｅｂに接続する機能とテレビを視聴する機能とを制限した旨のメッセージが表示されている。
次に、図４の画面４４００は、バッテリの購入は行ったが、バッテリ交換がなされていない場合の表示画面例である。
【００１７】
この画面４４００は、バッテリの購入操作を行った後の所定期間、例えば、バッテリが確実に手元に届くであろうと思われる１週間経ったあとであっても、バッテリの劣化が進んだままである場合に表示される。画面４４００では、劣化レベル「３」を示すメッセージと、購入先を示す情報を含むバッテリが交換されていない旨を示すメッセージ４４０１が表示されている。交換用バッテリは購入したが交換を忘れている場合などに、そのことをユーザに気付かせることができる。
【００１８】
このように、本発明にかかる携帯電話機は、バッテリの充電完了時に、劣化レベルが表示され、それと供に、バッテリの交換が必要な場合には購入先が表示されるので、ユーザはすぐにバッテリを購入することができるものである。更には、バッテリを購入したが交換を忘れている場合などにも、交換を促してくれるものである。
以下、本発明の携帯端末の一例として携帯電話機を説明する。
【００１９】
＜構成＞
まず、本発明の実施形態に係る携帯電話機の構成について図１を用いて説明する。図１は、携帯電話機の構成を示す機能ブロック図である。
携帯電話機１００は、アンテナ１１０１を備える通信部１１００、操作部１１１０、表示部１１２０、外部音声を入力するマイク１１３１と音声信号を出力するスピーカ１１３２とを備える音声処理部１１３０、全体制御部１２００、バッテリ充電部１３００、バッテリ１３１０、劣化検出部１４００、バッテリ特性記憶部１４１０、充電制御部１５００、購入先情報記憶部１６００、使用時間記憶部１７００、メッセージ記憶部１８００及び制限機能記憶部１９００から構成される。尚、携帯電話機１００の外部に、外部電源１３０１がある。
【００２０】
まず、全体制御部１２００は、図示しないＣＰＵ、メモリ等を備え、通話、着呼やメール受信の報知等、携帯電話機に必要な一般的な制御処理を行うほか、本発明に特有の処理、例えば、充電が開始されたら充電制御部１５００にその旨通知する処理等を行う。
通信部１１００は、変復調回路や信号処理回路等を含み、全体制御部１２００の指示により、基地局（図示しない。）と通信する機能を有する。
【００２１】
また、操作部１１１０は、キー、ボタン等を含み、ボタンの押下等のユーザ操作を検出し全体制御部１２００に通知する機能を有する。
表示部１１２０は、液晶等のディスプレイパネルを含み、全体制御部１２００の指示により、当該ディスプレイにメニューやメッセージ等を表示する機能を有する。
音声処理部１１３０は、音声のデジタル化や変復調等の処理を行う機能を有する。
【００２２】
バッテリ充電部１３００は、外部電源１３０１から電源を取得し、充電用の充電電流を生成してバッテリ１３１０に充電する機能を有する。例えば、家庭用電源に接続された充電用スタンドに携帯電話機をセットすると、家庭用電源から電源を取得し、携帯電話機に装着されたままのバッテリ１３１０に充電する。その際、バッテリ充電部１３００は、充電電圧をバッテリ１３１０に印加するとともに劣化検出部１４００にも印加する。
【００２３】
また、バッテリ充電部１３００は、充電の開始と終了とを全体制御部１２００に通知する機能を有する。
劣化検出部１４００は、バッテリ１３１０の劣化の度合いを検出する機能を有する。本実施形態では、バッテリ１３１０はリチウムイオン二次電池であるとし、充電開始後の所定のタイミングから、定電流充電から定電圧充電に切り替わるタイミングまでの時間により、劣化の度合いを判断するものとする。
【００２４】
判断方法を、図５のリチウムイオン二次電池の充電電圧曲線を参照して、簡単に説明する。本図では、実線で示された曲線２００１が、充電回数が1回目の充電電圧曲線を示し、点線で示された曲線２００２が、充電回数が２００回目の充電電圧曲線を示し、一点鎖線で示された曲線２００３が、充電回数が３００回目の充電電圧曲線示しているものとする。尚、このリチウムイオン二次電池は、定電流充電が完了すると定電圧充電（電圧ＶＰ２）に移行して充電され、定電圧充電中に電池が満充電状態であるか否かが判断される。
【００２５】
この図で示すように、充電開始後の電圧がＶＰ１になったタイミングから、定電流充電から定電圧充電（電圧ＶＰ２）に切り替わるタイミングまでの時間、すなわち、曲線２００１では時間ｔ１、曲線２００２では時間ｔ２、曲線２００３では時間ｔ３が、充電回数が多くなればなるほど短くなることから、この時間を測定することによりバッテリの劣化の度合いを求めるものとする。
【００２６】
劣化検出部１４００は、充電中にバッテリ充電部１３００から印加されている充電電圧がＶＰ１になった時からＶＰ２になる時までの時間を測定する。以下、この時間を「測定時間」というものとする。
劣化検出部１４００は、この測定時間と求めた劣化の度合いとを充電制御部１５００に渡す。
【００２７】
バッテリ特性記憶部１４１０は、バッテリ１３１０の特性を記憶しておく機能を有し、具体的には、図５で示したバッテリ１３１０の特性の、ＶＰ１とＶＰ２の値と、時間ｔ１、時間ｔ２等を記憶する。また、時間ｔ１等と劣化の度合い、すなわち、劣化レベルとの関係を示す情報を記憶する。この時間と劣化レベルとの関係を示す情報については、＜データ＞の項で説明する。
【００２８】
次に、充電制御部１５００は、バッテリ１３１０の劣化レベルの測定を劣化検出部１４００に指示したり、劣化レベルに応じたメッセージを表示したりなどのバッテリの劣化に関する処理の制御を行う機能を有する。
購入先情報記憶部１６００は、バッテリ１３１０と同じ品番のバッテリの購入先を示す購入先情報を記憶する機能を有し、使用時間記憶部１７００は、劣化していない状態の満充電されたバッテリ１３１０で、連続使用可能な時間を各機能毎に記憶する機能を有する。
【００２９】
またメッセージ記憶部１８００は、ディスプレイに表示する各種メッセージを記憶する機能を有し、制限機能記憶部１９００は、バッテリ１３１０が所定レベルまで劣化した場合に、動作を制限する対象となる機能を記憶する機能を有する。
これら購入先情報記憶部１６００、使用時間記憶部１７００、メッセージ記憶部１８００及び制限機能記憶部１９００に記憶する情報については、＜データ＞の項で説明する。
【００３０】
尚、充電制御部１５００等の各部による各処理の全部または一部は、ＣＰＵが各種プログラムを実行することにより実現されるものである。
＜データ＞
以下、本発明の携帯電話機が用いる主なデータについて、図６〜図１０を用いて説明する。
【００３１】
まず、図６は、劣化判断テーブル１４２０の構成例及び内容例を示す図である。
この劣化判断テーブル１４２０は、バッテリ特性記憶部１４１０に記憶されているテーブルであり、劣化検出部１４００によって参照される。
劣化判断テーブル１４２０は、劣化レベル１４２１と充電時間１４２２とで構成される。
【００３２】
劣化レベル１４２１は、バッテリ１３１０の劣化の度合いを示し、「１」、「２」、「３」の順で劣化の度合いが進んでいることを表す。
本実施形態では、「１」は、まだ劣化が進んでおらず、バッテリの交換が不要なレベルを表し、「２」は、バッテリの交換をした方がよいレベルを表し、「３」は、バッテリの交換が必要なレベルを表すものとする。
【００３３】
また、充電時間１４２２は、劣化検出部１４００が測定した時間、具体的には、バッテリ充電部１３００からの充電電圧がＶＰ１からＶＰ２になるまでの測定時間が属する範囲を示す。
例えば、測定時間が、ｔ２より短いがｔ３より長い場合には（図５参照）、充電時間１４２２「ｔ２〜ｔ３」に属するので、劣化レベル１４２１は「２」となる。
【００３４】
次に、図７は、購入先一覧テーブル１６１０の構成例及び内容例を示す図である。
この購入先一覧テーブル１６１０は、購入先情報記憶部１６００に記憶されているテーブルであり、充電制御部１５００によって参照され、ディスプレイに表示される。
購入先一覧テーブル１６１０は、種別１６１１と購入先１６１２とで構成される。
種別１６１１は、購入先の種別を示し、購入先１６１２は、実際の購入先の情報を表す。例えば、種別１６１１が「カスタマーセンター」の場合は、購入先１６１２は電話番号「0612345678」であり、種別１６１１が「購入サイト」の場合は、購入先１６１２はＵＲＬ「http//xxx.co.jp/support.html」である。電話番号を表示することは、ネットでの買い物に慣れてない人等にも便利であるからである。
【００３５】
次に、図８は、使用可能時間テーブル１７１０の構成例及び内容例を示す図である。このテーブルは、劣化していないバッテリ１３１０が満充電の場合に、連続して何時間動作させることができるかを機能毎に示している。
使用可能時間テーブル１７１０は、使用時間記憶部１７００に記憶されているテーブルであり、充電制御部１５００によって参照され、劣化の度合いに応じた時間がディスプレイに表示される。
【００３６】
使用可能時間テーブル１７１０は、機能１７１１と連続動作時間１７１２とで構成される。
機能１７１１は、携帯電話機１００が備えている機能のうちの一部の機能を示し、連続動作時間１７１２は、、劣化していないバッテリ１３１０が満充電の場合の、対応する機能の連続動作可能な時間を示している。
【００３７】
例えば、劣化していないバッテリが１３１０が満充電の場合に通話を行うとしたら、機能１７１１「通話」に対応した連続動作時間１７１２は「３００分」であるので、５時間連続して通話することができることになる。
図９は、メッセージ一覧テーブル１８１０の構成例及び内容例を示す図である。
このメッセージ一覧テーブル１８１０は、メッセージ記憶部１８００に記憶されているテーブルであり、充電制御部１５００によって参照され、選択されたメッセージがディスプレイに表示される。
【００３８】
メッセージ一覧テーブル１８１０は、メッセージ番号１８１１とメッセージ１８１２とで構成され、メッセージ番号１８１１は、メッセージの識別番号を示し、メッセージ１８１２は、メッセージの内容を示す。
次に、図１０は、制限機能一覧テーブル１９１０の構成例及び内容例を示す図である。このテーブルは、バッテリが劣化して交換を勧めているにも関わらず、バッテリを購入しない場合に、消費電力を少なくするために停止する機能を定めたものである。
【００３９】
この制限機能一覧テーブル１９１０は、制限機能記憶部１９００に記憶されているテーブルであり、充電制御部１５００によって参照される。
制限機能一覧テーブル１９１０は、順番１９１１と機能１９１２とで構成され、順番１９１１は、動作を制限する優先順位を示し、機能１９１２は機能名を示す。このテーブルには、予め携帯電話機の基本的ではない機能が設定されているものとする。例えば、携帯電話機の基本的な機能とは通話する機能であると考えられることから、それ以外の機能が設定されている。ここでは、例えば、順番１９１１が「１」に対応する機能１９１２は「Ｗｅｂ接続」であるので、まず最初に制限されるのは、Ｗｅｂへの接続であることになる。
【００４０】
また、本実施形態では、４つの機能のうち、順番１９１１が「１」と「２」の機能を制限するものとし、この順番１９１１はユーザが変更できるものとする。ユーザによっては、制限されては困る機能があるからである。この場合、ユーザは制限されては困る機能の順番１９１１を「３」か「４」に設定する。また、制限する機能の個数も、本実施形態では２個としたが、他の個数、例えば１個でもよく、ユーザが変更できるものであってもよい。
【００４１】
＜動作＞
以下、上述した携帯電話機の動作について図１１と図１２とを用いて説明する。
図１１は、バッテリの充電処理を示すフローチャートである。
ユーザは、携帯電話機を充電用スタンドにセットする。
バッテリ充電部１３００は、外部電源１３０１に接続されたことを検知すると、バッテリの充電が開始された旨を全体制御部１２００に通知し（ステップＳ１００）、バッテリ１３１０に充電を開始する。バッテリ１３１０に充電電圧を印加するとともに、劣化検出部１４００にも印加する。
【００４２】
尚、バッテリ充電部１３００は、バッテリ１３１０が満充電になったら充電を終了し、その旨を全体制御部１２００に通知し、通知を受けた全体制御部１２００は、その旨を充電制御部１５００に通知する。
充電が開始された旨の通知を受けた全体制御部１２００は、充電制御部１５００にバッテリの充電に関する処理を行うよう指示し、指示を受けた充電制御部１５００は、劣化検出部１４００にバッテリ１３１０の劣化レベルを測定するよう指示する。
【００４３】
指示を受けた劣化検出部１４００は、バッテリ充電部１３００から印加されている充電電圧がＶＰ１からＶＰ２になるまでの時間である測定時間Ｔを測定し、バッテリ特性記憶部１４１０に記憶されている劣化判断テーブル１４２０を参照して、劣化レベルを求め、求めた劣化レベル「１」又は「２」又は「３」と測定時間Ｔとを充電制御部１５００に通知する（ステップＳ１１０）。
【００４４】
劣化レベルの通知を受けた充電制御部１５００は、全体制御部１２００を介してバッテリ充電部１３００からの充電終了の通知を受けたら（ステップＳ１２０）、バッテリの劣化レベルを判定し（ステップＳ１３０）、レベルに応じた処理を行う。
充電制御部１５００は、劣化レベルが「１」の場合はバッテリを交換するほどではないと判断し、現在の劣化レベルでの各機能の使用可能時間を算出し、算出した各機能の使用可能時間の情報４００３と、バッテリの充電が完了した旨のメッセージ４００１と、バッテリの劣化レベル「１」を示すメッセージ４００２とを全体制御部１２００を介して表示部１１２０に表示を依頼する。
【００４５】
依頼を受けた表示部１１２０は、メッセージ等を表示する（ステップＳ１４０、図２の画面４０００参照）。
各機能の使用可能時間は、使用時間記憶部１７００に記憶されている使用可能時間テーブル１７１０を参照して求める。連続動作時間１７１２は測定時間がｔ１（図５参照）の時の使用可能時間であるので、劣化検出部１４００から渡された測定時間Ｔとｔ１との比から使用可能時間を算出する。
【００４６】
また、充電制御部１５００は、劣化レベルが「２」又は「３」の場合は、バッテリを交換する必要があると判断し、バッテリ交換促進処理を行う（ステップＳ１５０）。
次に、バッテリ交換促進処理を、図１２を用いて説明する。
図１２は、バッテリ交換促進処理を示すフローチャートである。
ここでは、３つの処理を説明する。１つ目は、バッテリの購入先情報が表示されてバッテリを購入する処理、２つ目は、購入後にバッテリを交換したかをチェックする処理、３つ目は、特定の機能を停止する処理である。
【００４７】
＜バッテリの購入先情報が表示されてバッテリを購入する処理＞
まず、劣化検出部１４００から受け取った劣化レベルが「２」又は「３」であり、バッテリを交換する必要があると判断した充電制御部１５００は、バッテリが購入済みであるかを判断する（ステップＳ２００）。具体的には、表示した購入先情報（図２の画面４１００等参照）から、電話番号を指定してカスタマーセンターに発呼したり、購入先サイトに接続したことを検知した場合に、購入済みであると判断する。従って、劣化レベルが「２」又は「３」が検出されてから一度も購入先情報を表示していない場合は、購入済みでないと判断される。
【００４８】
尚、購入済みか否かの判断は、充電制御部１５００内部の作業メモリに、例えば、購入済みフラグを記憶しておき、ＯＮの場合は購入済み、ＯＦＦの場合は購入されていないと判断するものとする。購入操作を検出したらＯＮにし、充電の際にバッテリの劣化が検出されなかった、すなわち、劣化レベル「１」が検出されたとき又は後述するステップＳ２４０で開始した時間の計測が１週間を計測した時にＯＦＦとする。
【００４９】
充電制御部１５００は、バッテリを購入済みではないと判断した場合（ステップＳ２００：ＮＯ）、バッテリの交換を勧めるメッセージと購入先情報とを、バッテリの充電が完了した旨のメッセージと劣化レベル「２」又は「３」を示すメッセージ４１０１と供に全体制御部１２００を介して表示部１１２に依頼して表示する（ステップＳ２１０、ステップＳ２２０、図２の画面４１００参照）。この際、全体表示部１２００は、購入先情報を内部の作業メモリに記憶しておく。ユーザの行った操作が購入先情報を利用してバッテリを購入する操作であるか否かを判断するためである。
【００５０】
表示するメッセージは、メッセージ記憶部１８００に記憶されているメッセージ一覧テーブル１８１０からメッセージ番号１８１１が「１」のメッセージ１８１２を参照し、購入先情報は、購入先情報記憶部１６００に記憶されている購入先一覧テーブル１６１０を参照して表示依頼をする。
購入先情報が表示されているときにユーザが行った操作を検知した操作部１１１０は、その操作を全体制御部１２００に通知する。全体制御部１２００は、受け取った操作が、表示されている購入先情報の電話番号を指定してカスタマーセンターに発呼した操作又は購入先サイトに接続する操作であった場合には、充電制御部１５００に購入操作があった旨の通知を行う。また、受け取った操作が購入の操作ではなかった場合には、全体制御部１２００は、充電制御部１５００に購入操作がなかった旨の通知を行う。
【００５１】
尚、全体制御部１２００は、作業メモリに記憶してある購入先情報を参照して、操作部１１１０から通知された操作が購入操作であるか否かを判断する。例えば、発信した電話番号が、記憶している購入先情報の電話番号であれば、購入操作が成されたと判断する。
購入操作があった旨の通知を受けた充電制御部１５００は（ステップＳ２３０：ＹＥＳ）、時間の計測を開始する（ステップＳ２４０）。本実施形態では、バッテリを注文してから確実に入手できるであろう期間として１週間を計測するものとする。時間の計測は、携帯電話機１００が内蔵しているタイマを用いる。
尚、この計測は、充電の際にバッテリの劣化が検出されなかったときに終了する。
【００５２】
＜購入後にバッテリを交換したかをチェックする処理＞
次に、バッテリの購入操作を検出した後の、バッテリを交換したかをチェックする処理を説明する。
バッテリが購入済みであると判断した場合に（ステップＳ２００：ＹＥＳ）充電制御部１５００は、１週間が経過しているかを判断し、経過している場合は（ステップＳ２５０：ＹＥＳ）、バッテリの交換がなされていない旨のメッセージと購入先情報等を、全体表示部１２００を介して表示部１１２０に依頼して表示する（ステップＳ２６０、ステップＳ２７０、図４の画面４４００参照）。全体表示部１２００は、購入先情報を内部の作業メモリに記憶する。尚、このメッセージは、１週間経過していると最初に判断したときに表示するものとする。
【００５３】
表示するメッセージはメッセージ一覧テーブル１８１０を参照し、購入先情報は購入先一覧テーブル１６１０を参照して表示依頼をする。
一方、所定時間が経過していない場合は（ステップＳ２５０：ＮＯ）、バッテリ交換促進処理を終了する。
＜特定の機能を停止する処理＞
次に、バッテリの劣化が進んだにもかかわらず、バッテリの購入を行わない場合に、特定の機能の使用を制限し、特定の機能を停止する処理を説明する。
【００５４】
バッテリの購入操作が無かった旨の通知を受けた充電制御部１５００は（ステップＳ２３０：ＮＯ）、バッテリの劣化のレベルの程度を判定する（ステップＳ２８０）。すなわち、劣化検出部１４００から受け取った劣化レベルが「２」の場合は、まだ特定機能の使用を制限する必要はないと判定し、劣化レベルが「３」の場合は、特定機能の使用を制限しなければならないくらいに劣化していると判定する。
【００５５】
充電制御部１５００は、劣化レベルが「３」の場合（ステップＳ２８０：＝３）、制限機能記憶部１９００に記憶されている制限機能一覧テーブル１９１０を参照して制限する機能を決定し、該当する機能１９１２を制限するよう全体制御部１２００に依頼する。依頼を受けた全体制御部１２００は、該当する機能が動作している場合は停止し、動作していない場合は、ユーザの指示があっても起動しないよう制御する（ステップＳ２９０）。
【００５６】
本実施形態では、順番１９１１が「１」と「２」との機能を制限する。
充電制御部１５００は、全体制御部１２００に機能の制限を依頼したあと、特定機能が制限された旨のメッセージと制限した機能と購入先情報等を、全体表示部１２００を介して表示部１１２に依頼して表示する（ステップＳ３００、ステップＳ３１０、図３の画面４３００参照）。全体表示部１２００は、購入先情報を内部の作業メモリに記憶する。
【００５７】
表示するメッセージはメッセージ一覧テーブル１８１０を参照し、購入先情報は購入先一覧テーブル１６１０を参照して表示依頼をする。
一方、劣化レベルが「２」の場合は（ステップＳ２８０：＝２）、バッテリ交換促進処理を終了する。
＜補足＞
以上、本発明に係る携帯電話機について実施形態に基づいて説明したが、この携帯電話機を部分的に変形することもでき、本発明は上述の実施形態に限られないことは勿論である。即ち、
（１）実施形態では、バッテリをリチウムイオン二次電池とし、バッテリの劣化を充電電圧曲線を参照して求めることとしているが、他の種類の二次電池であってもよく、また、劣化していることを求める方法は他の方法であってもよい。
【００５８】
また、実施形態では、バッテリの充電時に劣化の度合いを検出することとしているが、バッテリの種類によっては、充電時以外の携帯端末使用時に検出することとしてもよい。
（２）実施形態では、バッテリの劣化の表示等を、充電終了時に表示することとしているが、充電終了時に限られない。例えば、テレビ視聴終了後や、ユーザが劣化レベルを知りたいときに所定のボタンを押下する等した時に表示することとしても良い。
【００５９】
また、所定時間毎に表示させることとしてもよい。例えば、５時間おきに表示するなどである。この時間間隔は、バッテリに劣化が進めば進むほど短くなることとしてもよい。定期的に表示させることで、ユーザがメール作成等を行ってバッテリの劣化の表示等が消えたとしても、バッテリの交換を促すことができるという効果がある。尚、この時間間隔は、ユーザが設定できることとしてもよい。
（３）実施形態では、バッテリの劣化の度合いを数値で表したが、他の方法で示すこととしても良い。例えば、あと何回充電できるかを示すなどである。但し、例えば、短時間の充電を繰り返す等の充電方法では、劣化の度合いと充電回数が一致しない場合があることから、累積した充電時間などを考慮して、目安としての充電回数を表示することとする必要がある。また、新品のバッテリの充電量を１００として、パーセントで表示するなどとしてもよい。
（４）実施形態では、バッテリの購入先として、カスタマーセンターの電話番号と、購入サイトのＵＲＬを表示しているが、他の購入先でもよく、また、適時、ネットから最新情報がダウンロードされて更新されるものとしてもよい。
【００６０】
また、バッテリの交換がなされていない旨のメッセージは出されるまでの期間を１週間としているが、この期間に限られない。
（５）実施形態で示した携帯電話機の各機能を実現させる為の各制御処理（図１１等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【産業上の利用可能性】
【００６１】
バッテリで稼動する機器すべてにおいて、バッテリの交換を促進する技術として有用である。
【図面の簡単な説明】
【００６２】
【図１】本発明の携帯電話機の構成を示す機能ブロック図である。
【図２】バッテリの交換を勧める表示画面を表す図である。
【図３】機能が制限された旨を知らせる表示画面を表す図である。
【図４】バッテリが交換されていない旨を知らせる表示画面を表す図である。
【図５】リチウムイオン二次電池の充電電圧曲線例を示す図である。
【図６】劣化判断テーブル１４２０の構成例及び内容例を示す図である。
【図７】購入先一覧テーブル１６１０の構成例及び内容例を示す図である。
【図８】使用可能時間テーブル１７１０の構成例及び内容例を示す図である。
【図９】メッセージ一覧テーブル１８１０の構成例及び内容例を示す図である。
【図１０】制限機能一覧テーブル１９１０の構成例及び内容例を示す図である。
【図１１】バッテリの充電処理を示すフローチャートである。
【図１２】バッテリ交換促進処理を示すフローチャートである。
【符号の説明】
【００６３】
１００    携帯電話機
１１００    通信部
１１１０    操作部
１１２０    ディスプレイ
１１３０    音声処理部
１２００    全体制御部
１３００    バッテリ充電部
１３０１    外部電源
１３１０    バッテリ
１４００    劣化検出部
１４１０    バッテリ特性記憶部
１５００    充電制御部
１６００    購入先情報記憶部
１７００    使用時間記憶部
１８００    メッセージ記憶部
１９００    制限機能記憶部
【図１】
2010056954.tif 000003
【図２】
2010056954.tif 000004
【図３】
2010056954.tif 000005
【図４】
2010056954.tif 000006
【図５】
2010056954.tif 000007
【図６】
2010056954.tif 000008
【図７】
2010056954.tif 000009
【図８】
2010056954.tif 000010
【図９】
2010056954.tif 000011
【図１０】
2010056954.tif 000012
【図１１】
2010056954.tif 000013
【図１２】
2010056954.tif 000014